(57)【要約】【課題】少なくともシール材及び額縁部の材料選択に自由度を持たせ、シール材の硬化速度を高めて製造コストの低減化を図ることができる電気光学装置を提供する。【解決手段】第１基板ＣＦと、第１基板ＣＦに対向配置された第２基板ＡＲと、第１基板ＣＦおよび第２基板ＡＲの間に配置され表示領域３を囲む環状のシール材２とを有する電気光学装置１である。シール材２は光硬化成分を含む接着材であり、第１基板ＣＦは、表示領域３の周囲に形成された遮光部９ｂを有し、この遮光部９ｂはその一部に光透過領域１２を備えている。そしてシール材２と光透過領域１２とは平面的に重なっている。【選択図】図２
2010072368.tif 000002
【特許請求の範囲】
【請求項１】
第１基板と、前記第１基板に対向配置された第２基板と、前記第１基板および前記第２基板の間に配置され表示領域を囲む環状のシール材と、を有する電気光学装置において、
前記シール材が光硬化成分を含み、
前記第１基板は、前記表示領域の周囲に形成された遮光部を有し、
前記遮光部は少なくともその一部に光透過領域を備え、
前記シール材と前記光透過領域とが平面的に重なることを特徴とする電気光学装置。
【請求項２】
前記第２基板は、前記光透過領域と重なる位置に遮光部を有することを特徴とする請求項１に記載の電気光学装置。
【請求項３】
前記第１基板に形成した前記遮光部は、前記シール材に沿って形成されてなることを特徴とする請求項１又は請求項２に記載の電気光学装置。
【請求項４】
前記第１基板に形成した前記遮光部は、前記シール材と重なって形成されており、前記光透過領域となる開口を備えてなることを特徴とする請求項１又は請求項２に記載の電気光学装置。
【請求項５】
前記開口部を、前記基板の外周縁側に設けた引き回し配線と重ならない位置に形成したことを特徴とする請求項４記載の電気光学装置。
【請求項６】
第１基板および前記第１基板に対向配置された第２基板と、前記第１基板および前記第２基板に形成され、表示領域を囲む環状のシール材と、を有する電気光学装置の製造方法において、
前記第１基板に光透過領域を有する遮光部を形成する工程と、
前記第１基板および前記第２基板のうち少なくとも一方の基板に前記シール材を塗布する工程と、
前記第１基板および前記第２基板を貼り合わせる工程と、
前記第１基板の側から、前記シール材に対して光を照射して前記シール材を硬化させる工程と、を含み、
前記シール材を前記光透過領域と重なるように塗布する、又は前記シール材と前記光透過領域とが重なるように前記第１基板と前記第２基板とを貼り合せる、ことを特徴とする電気光学装置の製造方法。
【請求項７】
請求項１乃至請求項５のうちいずれかに記載の電気光学装置を備えていることを特徴とする電子機器。
【発明の詳細な説明】
【技術分野】
【０００１】
本発明は、ＯＤＦ（one-drop-fill）方式に好適な電気光学装置、電気光学装置の製造方法及び電子機器に関する。
【背景技術】
【０００２】
近年、ＰＤＡ（Ｐersonal  Ｄigital  Ａssistant）、パームトップ・コンピュータ等の小型情報電子機器（以下、電子機器）の普及に伴い、液晶表示装置（Ｌiquid  Ｃrystal  Ｄisplay：電気光学装置）が広く使用されるようになっている。
一般的な液晶表示装置は、アレイ基板と、アレイ基板に対向配置されたカラーフィルタ基板と、両基板の表示領域の外側周縁に環状に設けられ、両基板間に所定のギャップを設けて接合する接着材料からなるシール材と、両基板間のシール材の内側に封入された液晶とを備える。アレイ基板は、透明基板上に画素電極、薄膜トランジスタ等が設けられており、カラーフィルタ基板は、透明基板上にカラーフィルタと共通電極が形成されているとともに、各画素の境界にブラックマトリックスが設けられている。そして、カラーフィルタ基板の表示領域の外側にはブラックマトリクッスの額縁が形成され、カラーフィルタ基板の表示領域及びシール材との間を遮光している。
【０００３】
ところで、近年においてはＯＤＦ（one-drop-fill）方式等により狭額縁化が進んでいる。従来、アレイ基板側からシール材に光を照射してシール材を硬化させた後、アレイ基板の外側外周に遮光テープ等を貼っていたが、狭額縁化が進むと、この遮光テープを貼る領域が狭くなってくる。そのためアレイ基板の内側に遮光膜を形成する必要が生じる。しかしながら、アレイ基板の内側に遮光膜を形成すると、アレイ基板側からはシール材に光を照射することができなくなる。一方、アレイ基板に対向するカラーフィルタ基板においても、表示領域の見切りのため、パネル外周をブラックマスク等により遮光するためそのブラックマスク等によりシール材形成領域も遮光されてしまう。
そこで、額縁を、青色帯域の光を透過させる着色層で形成し、シール材を、青色帯域の波長の光に光反応域を有する光硬化性材料とし、カラーフィルタ基板側から青色帯域の光を照射し、ブラックマトリックスの額縁を透過した青色帯域の光をシール材に入射させることでシール材の硬化速度を高める技術が知られている（例えば、特許文献１）。
【特許文献１】特開２００７−４１６２５号公報
【発明の開示】
【発明が解決しようとする課題】
【０００４】
しかし、特許文献１の技術は、表示領域に用いる青色の着色層を兼用するため、シール材の硬化特性と、着色層の透過特性が一致させるのが困難であり、シール材の接着不足が生じたり、材料選択に制約があり、製造コストの面で問題があった。
そこで、本発明は、上記従来例の未解決の課題に着目してなされたものであり、少なくともシール材の選択に自由度を持たせ、しかもシール材の硬化速度を高めて製造コストの低減化を図ることができる狭額縁の電気光学装置、電気光学装置の製造方法、および電子機器を提供することを目的としている。
【課題を解決するための手段】
【０００５】
上記目的を達成するために、本発明に係る電気光学装置は、第１基板と、前記第１基板に対向配置された第２基板と、前記第１基板および前記第２基板の間に配置され表示領域を囲む環状のシール材と、を有する電気光学装置において、前記シール材が光硬化成分を含み、前記第１基板は、前記表示領域の周囲に形成された遮光部を有し、前記遮光部は少なくともその一部に光透過領域を備え、前記シール材と前記光透過領域とが平面的に重なることを特徴とする。前記第２基板は、前記光透過領域と重なる位置に遮光部を有するようにしてもよい。また、前記第１基板に形成した前記遮光部は、前記シール材に沿って形成されてなるようにしてもよい。また、前記第１基板に形成した前記遮光部は、前記シール材と重なって形成されて、前記光透過領域となる開口を備えていてもよい。ここで、前記開口部を、前記基板の外周縁側に設けた引き回し配線と重ならない位置に形成してもよい。
このような構成とすると、シール材を材料選択の自由度が高い光硬化樹脂を主成分としたものとし、遮光部も材料選択の自由度が高い材料とすることができるので、従来装置と比較して、製造コストの低減化を図ることができる。そして、表示領域を広い面積に設定して狭額縁化を図ることができる。
【０００６】
また、本発明の電気光学装置の製造方法は、第１基板および前記第１基板に対向配置された第２基板と、前記第１基板および前記第２基板に形成され、表示領域を囲む環状のシール材と、を有する電気光学装置の製造方法において、前記第１基板に光透過領域を有する遮光部を形成する工程と、前記第１基板および前記第２基板のうち少なくとも一方の基板に前記シール材を塗布する工程と、前記第１基板および前記第２基板を貼り合わせる工程と、前記第１基板の側から、前記シール材に対して光を照射して前記シール材を硬化させる工程とを含み、前記シール材を前記光透過領域と重なるように塗布する、又は前記シール材と前記光透過領域とが重なるように前記第１基板と前記第２基板とを貼り合せている方法である。
【０００７】
本発明の電気光学装置の製造方法によれば、遮光部に形成した光透過領域を介して光を効率よくシール材に照射することができるので、シール材の硬化速度を高めることができる。
さらに、本発明の電子機器は、上記構成の電気光学装置を備えた電子機器である。このような構成とすると、明るい表示が可能で、且つ操作性に優れた電子機器を提供することができる。
【発明を実施するための最良の形態】
【０００８】
以下、本発明を実施するための最良の形態（以下、実施形態という。）を、図面を参照しながら詳細に説明する。
（第１実施形態：液晶表示装置及び液晶表示装置の製造方法）
本発明に係る第１実施形態の電気光学装置としての液晶表示装置について説明する。
図１は液晶表示装置を示す平面図、図２は図１のＡ−Ａ線矢視図、図３は液晶表示装置を構成するカラーフィルタ基板の背面を示す図、図４はシール材を硬化させる方法を示す要部断面図である。
本実施形態の液晶表示装置１は、アレイ基板ＡＲと、このアレイ基板ＡＲに対向配置されたカラーフィルタ基板ＣＦと、両基板ＡＲ，ＣＦの外側周縁に環状に設けられて両基板ＡＲ，ＣＦを接合するシール材２と、両基板ＡＲ，ＣＦ間のシール材２の内側に封入された液晶ＬＣとを備えた装置である。
【０００９】
アレイ基板ＡＲは、ガラス基板等の透明基板４の液晶ＬＣ側の表面に、図示しないがマトリクッス状に形成された複数本の走査線及び信号線、ＴＦＴ、走査線及び信号線とで囲まれた領域を覆う透明導電材料からなるアレイ側電極５が設けられている。このアレイ基板ＡＲには、カラーフィルタ基板ＣＦに対して一辺側から張り出した張出部６が設けられており、この張出部６の端部（アレイ基板ＡＲの短辺側の端部）に沿って端子群が形成されている。また、張出部６には、液晶表示装置１を電気的に駆動させる液晶駆動用ＩＣ７が実装されている。
【００１０】
カラーフィルタ基板ＣＦは、ガラス等の透明基板８上に、ブラックマトリックス９と、複数配列された着色画素１０と、透明導電材料からなるカラーフィルタ側電極１１とが形成されたものである。
着色画素１０は、例えば、赤色、緑色、青色のフィルタ機能を有するものである。
ブラックマトリックス９は、遮光性を有するクロム等の金属層であり、また、カーボンブラックを含む樹脂ブラック、着色層を２色以上重ねた重ねブラックマトリックスであってもよく、各着色画素１０の境界に沿って設けられたマトリックス部９ａと、着色画素１０が形成された領域（図１の表示領域３）の周辺部を囲むように設けられた額縁部９ｂとで構成されている。カラーフィルタ側電極１１は、着色画素１０及びブラックマトリックス９を覆っている。
【００１１】
シール材２は、光硬化樹脂を含み、両基板ＡＲ，ＣＦの表示領域（カラーフィルタ基板ＣＦは表示領域３）の外側周縁に四角環状に設けられ、両基板ＡＲ，ＣＦ間に所定のギャップを設けた状態で接合する。
本実施形態のシール材２に含まれている光硬化樹脂は、例えば、光硬化性のアクリル基、チオール基等を含有したアクリル系、チオール系接着剤に紫外線を照射して形成される接着剤である。このような接着剤は、吸収する光エネルギー量に応じて重合が進行し、重合が進行するにつれて組成や体積の変化を生じる。重合度（硬化度）は、照射する光エネルギー量を制御することによりを制御可能であり、具体的には照射する光の光強度を強くするほど、あるいは照射する時間を長くするほど硬化度が高くなる。
【００１２】
また、アレイ基板ＡＲのアレイ側電極５及びカラーフィルタ側電極１１は、張出部６において液晶駆動用ＩＣ７の出力側の電極パッド（バンプ）にそれぞれ電気的に接続されており、液晶駆動用ＩＣ７は各電極に走査信号やデータ信号といった駆動信号を出力して供給している。一方、張出部６の端部に沿って設けられた端子群は、液晶駆動用ＩＣ７の入力側の電極パッド群（バンプ）に電気的に接続されており、液晶駆動用ＩＣ７に電源信号や液晶駆動用ＩＣ７を動作させるための駆動（ロジック）信号が供給される。
このような構成の液晶表示装置１は、後述するバックライトと組み合わされ、バックライトからの光の透過を着色画素１０によって制御することによって所定の画像を表示するようになっている。
【００１３】
図３は、カラーフィルタ基板ＣＦのブラックマトリックス９、着色画素１０及びカラーフィルタ側電極１１を設けた背面を平面視で示したものであり、この図では、ブラックマトリックス９の額縁部９ｂのみを示し、マトリックス部９ａ、着色画素１０及びカラーフィルタ側電極１１は省略している。
図３に示すように、額縁部９ｂには、四角環状のシール材２の外周形状と同一の外周輪郭部を有し、且つシール材２の内周形状と同一の内周輪郭部を有する四角環状の開口部１２が形成されており、カラーフィルタ基板ＣＦの前面（ブラックマトリックス９、着色画素１０及びカラーフィルタ側電極１１が設けられていない面）側から光を照射すると、額縁部９ｂの開口部１２のみ光が通過するようになっている。
【００１４】
次に、図２及び図４を参照して上記構成の液晶表示装置１を製造する方法について説明する。
先ず、カラーフィルタ基板ＣＦのカラーフィルタ側電極１１を形成した面側に額縁部９ｂを形成する。この額縁部９ｂは、塗布される四角環状のシール材２の外周形状と同一の外周輪郭部を有し、且つシール材２の内周形状と同一の内周輪郭部を有する四角環状の開口部１２が形成されている。
次いで、額縁９ｂの四角環状の開口部１２に沿って、四角環状のシール材２を塗布する。
次いで、カラーフィルタ基板ＣＦとシール材２とで囲まれた部分に液晶ＬＣを配置する。
【００１５】
次いで、シール材２を介してカラーフィルタ基板ＣＦ及びアレイ基板ＡＲを対向配置した状態で貼り合わせ、カラーフィルタ基板ＣＦ及びアレイ基板ＡＲシール材２の間のシール材２内に液晶ＬＣを封入する。
次いで、図４に示すように、紫外線ＵＶを、カラーフィルタ基板ＣＦの前面側の外側周縁に向けて照射すると、透明基板８を通過した紫外線が、額縁部９ｂの開口部１２を通過してシール材２に入射し、紫外線によりシール材２の硬化が促進される。
ここで、本発明の第１基板がカラーフィルタ基板ＣＦに対応し、本発明の第２基板がアレイ基板ＡＲに対応し、本発明の遮光部が額縁部９ｂに対応し、本発明の光透過領域が開口部１２に対応している。
【００１６】
したがって、本実施形態の液晶表示装置１は、シール材２を材料選択の自由度が高い光硬化樹脂を含んだものとし、ブラックマトリックス９の額縁部９ｂも、材料選択の自由度が高い遮光性を有するクロム等の金属層としているので、特定波長の光に対して硬化反応速度が高まるシール材と特定の色帯域の光を透過させる額縁を使用した従来装置と比較して、製造コストの低減化を図ることができる。
また、額縁部９ｂには、カラーフィルタ基板ＣＦの前面側から紫外線ＵＶを照射すると、シール材２に直接、紫外線ＵＶが入射する開口部１２が設けられているので、シール材２の硬化速度を高めることができる。このため、液晶表示装置１の製造効率を高めることができる。
また、シール材２のカラーフィルタ基板ＣＦ側の端部は、シール材外周縁が開口部１２の外周輪郭部に接触し、シール材内周縁が開口部１２の内周輪郭部に接触した状態で、カラーフィルタ基板ＣＦの背面に接合されるので、シール材２とカラーフィルタ基板ＣＦとの接合強度を高めることができる。
【００１７】
また、シール材２は、カラーフィルタ基板ＣＦの額縁部９ｂに覆われた位置に設けられているので、カラーフィルタ基板ＣＦの表示領域３を広い面積に設定した狭額縁化を図った液晶表示装置１を提供することができる。
ここで、本実施形態のシール材２は、光硬化樹脂とともに、熱硬化性を有する成分を含有した接着剤を含んだものであってもよい。熱硬化性を有する成分を含有した接着剤としては、例えばエポキシ基等を含有したエポキシ系接着剤が考えられる。このシール材２に対して光硬化後に適宜熱処理を行うと、さらに硬化速度を促進することができる。
また、本実施形態は、カラーフィルタ基板ＣＦに開口部１２を有する額縁部９ｂを形成したが、アレイ基板ＡＲに額縁部を設けても良い。ここで、アレイ基板ＡＲ側の額縁部を、アレイ基板ＡＲの外周縁側に設けた引き回し配線とし、シール材２に向けて紫外線ＵＶが照射する額縁部に設けた開口部を、引き回し配線同士の間の隙間としてもよい。
【００１８】
（第２実施形態：液晶表示装置）
次に、本発明に係る第２実施形態の電気光学装置としての液晶表示装置について説明する。なお、本実施形態も図１から図４で示した構成と同一構成部分には、同一符号を付してその説明を省略する。
図５は第２実施形態の液晶表示装置の要部を示す断面図、図６は図５のＢ−Ｂ線矢視図である。
本実施形態のブラックマトリックス９の額縁部９ｂには、シール材２の厚み寸法Ｔより大きな幅寸法Ｈを有する四角環状の開口部１３が形成されている。そして、シール材２のカラーフィルタ基板ＣＦ側の端部は、シール材外周縁が開口部１３の外周輪郭部に接触し、シール材内周縁が開口部１３の内周輪郭部との間に隙間１４を設けた状態で、カラーフィルタ基板ＣＦの背面に接合されている。
【００１９】
ここで、本発明の遮光部の光透過部が開口部１３に対応している。
本実施形態によると、シール材２の厚み寸法Ｔより額縁部９ｂの開口部１３の幅寸法Ｈを大きくしたことから、シール材２及びカラーフィルタ基板ＣＦの接合作業の際に、シール材２のカラーフィルタ基板ＣＦ側の端部が額縁部９ｂに重なった状態で接合されにくくなる。また、シール材２と額縁部９ｂとが重なりにくくなることから、アレイ基板ＡＲ及びカラーフィルタ基板ＣＦ間の全周に渡ってギャップを均一に設けることができる。
したがって、本実施形態は、組立てが容易で、高精度の液晶表示装置１を提供することができる。
【００２０】
（第３実施形態：液晶表示装置）
次に、本発明に係る第３実施形態の電気光学装置としての液晶表示装置について説明する。
図７は、カラーフィルタ基板ＣＦのブラックマトリックス９、着色画素１０及びカラーフィルタ側電極１１を設けた背面を平面視で示したものであり、この図では、ブラックマトリックス９の額縁部９ｂのみを示し、マトリックス部９ａ、着色画素１０及びカラーフィルタ側電極１１は省略している。
【００２１】
本実施形態のブラックマトリックス９の額縁部９ｂには、シール材２の厚み寸法Ｔと略同一の幅寸法を有する複数の四角形状の開口部１５が、シール材２の全周に延在するように互いに所定間隔をあけて列状に形成されている。
ここで、本発明の遮光部の光透過部が開口部１５に対応している。
本実施形態によると、額縁部９ｂには、カラーフィルタ基板ＣＦの前面側から紫外線ＵＶを照射すると、シール材２に直接、紫外線ＵＶが入射する複数の開口部１５が設けられているので、シール材２の硬化速度を高めることができ、液晶表示装置１の製造効率を高めることができる。
【００２２】
（第４実施形態：液晶表示装置）
次に、本発明に係る第４実施形態の電気光学装置としての液晶表示装置について説明する。
図８は、第３実施形態と同様に、カラーフィルタ基板ＣＦのブラックマトリックス９、着色画素１０及びカラーフィルタ側電極１１を設けた背面を平面視で示したものである。
本実施形態のブラックマトリックス９の額縁部９ｂには、円形形状の微細な開口部１６が多数形成されている。
ここで、符号１７は、カラーフィルタ側電極１１（本図では示していない）に電気的に接続してカラーフィルタ基板ＣＦの背面の外縁側に形成されている第１引き回し配線である。また、符号１８〜２０は、着色画素１０（本図では示していない）に電気的に接続してカラーフィルタ基板ＣＦの背面の外縁に向けて延在している第２〜第４引き回し配線である。
【００２３】
本実施形態の微細な開口部１６は、カラーフィルタ基板ＣＦの背面に形成した第１〜第４引き回し配線１７〜２０に重ならない位置に形成されている。
ここで、本発明の遮光部の光透過部が開口部１６に対応し、本発明の引き回し配線が第１〜第４引き回し配線１７〜２０に対応している。
本実施形態によると、額縁部９ｂには、カラーフィルタ基板ＣＦの前面側から紫外線ＵＶを照射すると、シール材２に直接、紫外線ＵＶが入射する微細な開口部１６が多数設けられており、これら開口部１６は、カラーフィルタ基板ＣＦの背面に形成した第１〜第４引き回し配線１７〜２０に重ならない位置に形成されているので、シール材２の硬化速度を高めることができ、液晶表示装置１の製造効率を高めることができる。
【００２４】
（第５実施形態：ＬＣＤユニット）
次に、第５実施形態としてＬＣＤユニットについて説明する。
図９に示すように、ＬＣＤユニット３０は、上述した各実施形態の液晶表示装置１と、この液晶表示装置１の背面に配設した照明装置としてのバックライト３１と、バックライト３１を支持する支持フレーム３２とを備えている。
符号３３のフレキシブルプリント基板（以下、ＦＰＣ）は、その一端側が液晶表示装置１の液晶駆動用ＩＣ７に電気的に接続され、一端に対向する他端側が支持フレーム３２に固定される。
【００２５】
バックライト３１は、導光板３４と、導光板３４の背面に配置された反射板３５と、ＬＥＤチップ等の発光素子を備えた光源３６と、光学シート３７ａ，３７ｂとを備えている。このバックライト３１は、光源３６から射出された光を導光板３４の側面から内部に導き、反射板３５の作用により液晶表示装置１側へ射出することで、液晶表示装置１の照明装置として機能するようになっている。光学シート３７ａ，３７ｂは、導光板３４を通過した光を拡散、集光させるためのシートである。
そして、液晶表示装置１の背面とバックライト３１の前面とが必要に応じて透光性を有する第１粘着層３８により粘着されている。
本実施形態のＬＣＤユニット３０によると、カラーフィルタ基板ＣＦの表示領域３を広い面積に設定した狭額縁化を図った液晶表示装置１を備えているので、輝度、コントラスト比が良くなって、視認性を向上させたＬＣＤユニット３０を提供することができる。
【００２６】
（第６実施形態：携帯電話機：電子機器）
次に、図１０は、本発明に係る第６実施形態の携帯電話機を示す概略斜視図である。
本実施形態の携帯電話機４０は、第１ケース４１と、第１ケース４１の長手方向端部にヒンジ結合されている第２ケース４２と、第１ケース４１に設けた保護窓４３と、保護窓４３の内側に内蔵されている上述した第５実施形態のＬＣＤユニット３０と、第２ケース４２に設けられている操作４４と、第１ケース４１の上端部に設けた受話部４５とを備えている。そして、図１０では省略しているが、第２ケース４２には、人が指で押して情報を入力するための操作キーが設けられている。
保護窓４３は、プラスチック等の透明部材であり、第１ケース４１内に配設したＬＣＤユニット３０の表示面を透過して視認可能とするとともに、ＬＣＤユニット３０に外圧等が加わるのを防ぐ機能を有する。
【００２７】
ここで、本発明の電子機器が携帯電話機４０に対応している。
本実施形態の携帯電話機４０によると、この装置を構成するＬＣＤユニット３０が輝度、コントラスト比が良くなって、視認性が向上しているので、明るい表示が可能で、且つ操作性に優れた電子機器を提供することができる。
なお、本発明の電子機器は、携帯電話機４０に限らず、種々の電子機器に搭載することができる。例えば、ＰＤＡ、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、印刷装置等に適用することができる。
【図面の簡単な説明】
【００２８】
【図１】本発明に係る第１実施形態の電気光学装置の概略構成を示す平面図である。
【図２】図１のＡ−Ａ線矢視図である。
【図３】第１実施形態の電気光学装置を構成するカラーフィルタ基板の背面構造を示す図である。
【図４】電気光学装置を構成するシール材の硬化方法を示す図である。
【図５】本発明に係る第２実施形態の電気光学装置の要部を示す断面図である。
【図６】図５のＢ−Ｂ線矢視図である。
【図７】本発明に係る第３実施形態の電気光学パネルを構成するカラーフィルタ基板の背面構造を示す図である。
【図８】本発明に係る第４実施形態の電気光学パネルを構成するカラーフィルタ基板の背面構造を示す図である。
【図９】第５実施形態のＬＣＤユニットを示す断面図である。
【図１０】本発明に係る第６実施形態の電子機器の概略構成を示す斜視図である。
【符号の説明】
【００２９】
１…液晶表示装置、２…シール材、３…表示領域、４…透明基板、５…アレイ側電極、６…張出部、７…液晶駆動用ＩＣ、８…透明基板、９…ブラックマトリックス、９ａ…マトリックス部、９ｂ…額縁部、１０…着色画素、１１…カラーフィルタ側電極、１２…四角環状の開口部、１３…四角環状の開口部、１４…隙間、１５…開口部、１６…微細な開口部、１７〜２０…第１〜第４引き回し配線、３０…ＬＣＤユニット、３１…バックライト、３２…支持フレーム、３３…フレキシブル基板、３４…導光板、３５…反射板、３６…光源、３７ａ，３７ｂ…光学シート、３８…粘着層、４０…携帯電話機、４１…第１ケース、４２…第２ケース、４３…保護窓、４４…操作部、４５…受話部、ＡＲ…アレイ基板、ＣＦ…カラーフィルタ基板、ＬＣ…液晶、ＵＶ…紫外線
【図１】
2010072368.tif 000003
【図２】
2010072368.tif 000004
【図３】
2010072368.tif 000005
【図４】
2010072368.tif 000006
【図５】
2010072368.tif 000007
【図６】
2010072368.tif 000008
【図７】
2010072368.tif 000009
【図８】
2010072368.tif 000010
【図９】
2010072368.tif 000011
【図１０】
2010072368.tif 000012